(57)【要約】      （修正有）【課題】両開き状態にした絵本の左右の両面にメンブレンスイッチフィルムを適用して幅広く多種多様の音声を出力させることができるようにすると共に、繰り返し使用してもメンブレンスイッチフィルムに断線事故等が生ずることのない両面メンブレンスイッチ絵本を提供する。【解決手段】絵本本体１の背表紙部に沿って樋状空間部７を形成する。絵本本体１の表表紙および裏表紙のそれぞれの内側に直接またはスペーサ８を介して導電パターンを印刷したメンブレンスイッチフィルムを定着させる。当該メンブレンスイッチフィルムの中央部分を前記樋状空間部７内にゆとりをもって配置させる。メンブレンスイッチフィルムの表面側と、絵本本文１４の表紙および裏表紙を接着し、絵本本体１を閉じたとき絵本本文１４の中央折り曲げ部が前記樋状空間部７内に収まるように構成した。【選択図】図１
0003169974.tif 000002
【実用新案登録請求の範囲】
【請求項１】
絵本本体内に小型の音声発生装置を付設し、絵本の各紙葉に表示された所定の箇所を押すことによって、当該音声発生装置を起動させ所定の音声を出力するようにした音絵本において、絵本本体を両開き状態にしたとき、絵本本体の背表紙部に沿って樋状空間部が生ずるようになし、且つ絵本本体の表表紙および裏表紙のそれぞれの内側に直接またはスペーサを介して導電パターンを印刷したメンブレンスイッチフィルムを定着させ、当該メンブレンスイッチフィルムの中央部分を前記樋状空間部内にゆとりをもって配置させると共に、前記メンブレンスイッチフィルムの表面側と、絵本本文の表紙および裏表紙を接着し、絵本本体を閉じたとき絵本本文の中央折り曲げ部が前記樋状空間部内に収まるように構成したことを特徴とする両面メンブレンスイッチ絵本。
【考案の詳細な説明】
【技術分野】
【０００１】
本考案は、音の出る絵本に係り、特に両開きにした左右の両面にメンブレンスイッチフィルムを適用し、幅広く多種多様の音声を出力させることができるようになした両面メンブレンスイッチ絵本に関するものである。
【背景技術】
【０００２】
絵本本体の適宜箇所に、電池電源、ＩＣメモリ、圧電ブザーなどからなる薄型スピーカを組み込んだ小型の音声発生装置を取り付けて、絵本の各紙葉に印刷表示された所定の箇所を押すことにより音声を出力させるようにした音の出る絵本が知られている。
【０００３】
たとえば、下記の特許文献１には、一体的に連結された厚手の表表紙及び裏表紙と、これら表表紙及び裏表紙の間において所要の広さの空間を残して綴じられた表面に図柄の描かれた複数枚の頁葉と、前記各図柄に関連する言葉の合成音信号を複数発生するＩＣ回路と、このＩＣ回路からの信号によって合成音を発音する薄いスピーカーを組込んでなり、前記空間にて前記表表紙もしくは前記裏表紙に貼付けられた電子発音装置と、前記頁葉内部にあって前記図柄の下に形成され、前記頁葉の綴じ部を介して前記ＩＣ回路に接続され、前記ＩＣ回路をＯＮ／ＯＦＦさせて前記各図柄に対応しこれに関連する前記言葉の合成音を発生させるタッチ式キースイッチとを具備してなる音の出る絵本が示されている。
【先行技術文献】
【特許文献】
【０００４】
【特許文献１】実開昭６３−９６８９８号公報
【考案の概要】
【考案が解決しようとする課題】
【０００５】
上記したように、絵本の各紙葉に表示された所定箇所を押すことにより、ＩＣメモリ、圧電ブザーなどを組み込んだ小型の音声発生装置を起動させ、各紙葉に印刷表示された絵柄に関連する音声を出力させるようにした音の出る絵本は既に知られている。
【０００６】
しかしながら、特許文献１に示された音の出る絵本においては、絵本をなす頁葉が、その中心を背表紙部分に位置させる折り曲げ部とし、その両側を綴じ代とするものであるため、繰り返して頁葉の開閉を行うとＯＮ−ＯＦＦ信号をＩＣ回路に伝えるリード線にダメージを与えることになり、経時的に断線事故に繋がるという問題点がある。
【０００７】
また、従来の絵本は、絵本本文の表表紙または裏表紙のいずれか一方のみを、絵本本体の厚手の紙からなる表表紙または裏表紙に貼付する構造となっており、絵本本文の非貼付側紙葉を絵本本体の表表紙または裏表紙の所定位置に合わせることが困難となり、絵本本体の表表紙または裏表紙に付設したタッチ式キースイッチの接点部と一致させることができずに、音を出すことができないといったトラブルを生ずる原因ともなる。
【０００８】
そこで、本考案は、前記した従来の音の出る絵本の不具合点を解消し、両開き状態にした絵本の左右の両面にメンブレンスイッチフィルムを適用して幅広く多種多様の音声を出力させることができるようにすると共に、繰り返し使用してもメンブレンスイッチフィルムに断線事故等が生ずることのない両面メンブレンスイッチ絵本を提供することを目的とするものである。
【課題を解決するための手段】
【０００９】
上記課題を解決するための本考案の構成を詳述すれば、請求項１に係る考案は
、絵本本体内に小型の音声発生装置を付設し、絵本の各紙葉に表示された所定の箇所を押すことによって、当該音声発生装置を起動させ所定の音声を出力するようにした音絵本において、絵本本体を両開き状態にしたとき、絵本本体の背表紙部に沿って樋状空間部が生ずるようになし、且つ絵本本体の表表紙および裏表紙のそれぞれの内側に直接またはスペーサを介して導電パターンを印刷したメンブレンスイッチフィルムを定着させ、当該メンブレンスイッチフィルムの中央部分を前記樋状空間部内にゆとりをもって配置させると共に、前記メンブレンスイッチフィルムの表面側と、絵本本文の表紙および裏表紙を接着し、絵本本体を閉じたとき絵本本文の中央折り曲げ部が前記樋状空間部内に収まるように構成したことを特徴とする両面メンブレンスイッチ絵本である。
【考案の効果】
【００１０】
本考案によれば、絵本本体の背表紙部付近に形成してある樋状空間部を利用してメンブレンスイッチフィルムの中央部分をゆとりをもって通すことができ、絵本本文の開閉動作によってメンブレンスイッチフィルムに影響を与えることがなくなるので、メンブレンスイッチフィルムの導電部が断線するのを防ぐことができ耐久性に優れた音の出る絵本を提供することができる。
【００１１】
また、導電パターンを印刷したメンブレンスイッチフィルムを絵本本体の表表紙および裏表紙のそれぞれの内側に貼付固定し、且つメンブレンスイッチフィルムの表面側と、絵本本文の表紙および裏表紙を接着して構成するものであるから、絵本本文の適宜絵柄に表示した押す箇所とメンブレンスイッチフィルムの接点部とがずれるおそれがなくなり、不接触により起動しないといったトラブルを解消することができるものである。なお、当然ながら絵本本文の左右両面をメンブレンスイッチフィルムがカバーし得るので、幅広い領域において多種多様の音声を出力させることができる。
【図面の簡単な説明】
【００１２】
【図１】本考案に係る両面メンブレンスイッチ絵本の一実施形態を示す分解状態斜視図である。
【図２】絵本本体における表紙、裏表紙および背表紙の一例を示す平面図である。
【図３】本考案に係る両面メンブレンスイッチ絵本を両開き状態にしたときの一実施形態を示す平面図である。
【図４】本考案に係る両面メンブレンスイッチ絵本を両開き状態にしたときの一実施形態を示す斜視図である。
【図５】本考案に係る両面メンブレンスイッチ絵本を閉じたときの一実施形態を示す斜視図である。
【図６】絵本本体を両開き状態にしたときの樋状空間部周辺の説明図である。
【図７】絵本本体を閉じたときの樋状空間部周辺の説明図である。
【考案を実施するための形態】
【００１３】
以下、本考案に係る両面メンブレンスイッチ絵本の具体的構成を図示の実施形態に基づき詳細に説明する。
【００１４】
図中１は本考案のベースとなる絵本本体を示し、当該絵本本体１は、厚手の紙または合成紙などからなる表紙２、背表紙３、裏表紙４およびこれら表紙２、背表紙３、裏表紙４を所定の間隔を存して配置し、貼付するための強靭な化粧紙５並びに当該化粧紙５によって覆われない内側部分に貼付する被覆紙６とから構成される。なお、化粧紙５の表面には絵本の表題や幼児の興味を惹き出し得る適宜の絵柄が表示されるのは云うまでもない。
【００１５】
このように、絵本本体１は、表紙２、背表紙３、裏表紙４と、これらを貼り付ける化粧紙５並びに当該化粧紙５によって覆われない内側部分に貼付する被覆紙６とから構成されるものであり、その作成要領は、先ず、図２（Ａ）に示すように、拡げた化粧紙５の上面中央に厚紙等からなる背表紙３をセットし、当該背表紙３の左右両側に比較的広めの間隔Ｓ１、Ｓ２を開けて表紙２と裏表紙４を配置する。
【００１６】
そして、図２（Ｂ）に示すように、化粧紙５の周縁余長部を内側に折り込みながら化粧紙５と、表紙２、背表紙３および裏表紙４を貼り付ける。その後、図２（Ｃ）に示すように、化粧紙５によって覆われない内側部分に被覆紙６を貼付することによって表紙２、背表紙３および裏表紙４は一体的に被覆されて絵本本体１となる。
【００１７】
上記のように、背表紙３の左右両側に比較的広めの間隔Ｓ１、Ｓ２を開けて表紙２と裏表紙４を貼着してあるので、図２（Ｃ）に点線で示す位置にて折り曲げることが可能であり、背表紙３を任意の載置面に載せた状態で両側縁部を折り曲げ、さらに表紙２および裏表紙４の境界のところで折り曲げることにより、絵本本体１に背表紙３に沿った樋状空間部７が形成される（図１）。
【００１８】
次に、図中８は絵本本体１の表紙および裏表紙に相当するそれぞれの内側に、場合により取付ける合成樹脂発泡材等からなるスペーサである。９は当該スペーサ８の上面に定着させるメンブレンスイッチフィルムであり、当該メンブレンスイッチフィルム９は導電パターンを印刷した下部接点シート１０、下部接点に対応する箇所に導電インクを印刷した上部接点シート１１および両シート１０，１１の間に挿着される絶縁シート１２からなり、当該絶縁シート１２には接点対応箇所に通孔１３を穿設してある。メンブレンスイッチフィルム９は両開き状態の絵本本体１の左右両面をカバーし得る大きさをもっていることは勿論である。
【００１９】
図示の実施形態においては、スペーサ８の上面にメンブレンスイッチフィルム９を定着させるようにしているが、当該メンブレンスイッチフィルム９はスペーサ８を介さずに絵本本体１の表表紙および裏表紙のそれぞれの内側に直接貼着させるようにしてもよい。
【００２０】
１４は様々な絵柄が印刷表示された複数枚の紙葉を綴じ込んだ絵本本文であり、当該絵本本文１４の表紙および裏表紙は、中央の綴じ代部分を除いて前記メンブレンスイッチフィルム９の表面側に接着される。すなわち、メンブレンスイッチフィルム９の中央部分は絵本本文１４には接着せずにフリーな状態としておくものであり、当該メンブレンスイッチフィルム９の中央部分は絵本本体１に形成される前記樋状空間部７内にゆとりをもって配置される。従って、絵本本体１の開閉動作に応じてリード線としての導電パターンがダメージを受けることがなくなり耐久性に富んだ絵本とすることができるものである。
【００２１】
なお、絵本本体１を閉じたとき絵本本文１４の中央折り曲げ部１５は前記樋状空間部７内に収まることになるので、絵本本文１４の表紙および裏表紙をメンブレンスイッチフィルム９に接着させたとしても、絵本本文１４に負荷が掛かるようなことはない。
【００２２】
本考案に係る両面メンブレンスイッチ絵本の使用にあたっては、図４に示すように、絵本本体１を開くと、絵本本文１４の表紙および裏表紙が、スペーサ８に貼着されているメンブレンスイッチフィルム９に接着されている関係で、直ちに開かれた状態となる。そして、所望のページを見開いて絵本本文１４の紙葉に印刷表示されている適宜マーク１６を軽く押す。
【００２３】
すると、メンブレンスイッチフィルム９における上部接点シート１１の導体部が下部接点シート１０のスイッチ部に接触し、ＯＮ信号が音声発生装置１７内に組み込んであるＩＣ回路に伝わり、所定の時間、所定の音声が圧電ブザーのような小型スピーカから出力される。本考案の場合は、絵本本文１４の表紙および裏表紙が、メンブレンスイッチフィルム９に接着されているので、接点部と絵本本文のマーク１６とがずれるおそれがなく正確に所定の音声を出力させることができる。
【００２４】
絵本本体１を開いた状態では、図６に示すようにメンブレンスイッチフィルム９の中央部分は樋状空間部７内にゆとりをもった状態で配置されているので絵本本文１３の開閉によってメンブレンスイッチフィルム９にテンションが掛かるようなことはない。
【００２５】
また、絵本本体１を閉じた状態では、図７に示すように絵本本文１４の中央折り曲げ部（綴じ代）１５が前記樋状空間部７内に収まるので絵本本文１４に無理な力が掛かることがない。
【００２６】
以上のように、本考案によれば、絵本本体１の背表紙部付近に形成してある樋状空間部７を利用してメンブレンスイッチフィルム９の中央部分をゆとりをもって通すことができ、絵本本文１４の開閉動作によってメンブレンスイッチフィルム９に影響を与えることがなくなるので、メンブレンスイッチフィルム９の導電部が断線するのを防ぐことができ耐久性に優れた音の出る絵本となる。
【００２７】
また、メンブレンスイッチフィルム９を絵本本体１の表表紙および裏表紙のそれぞれの内側に貼付固定し、且つメンブレンスイッチフィルム９の表面側と、絵本本文１４の表紙および裏表紙を接着して構成するものであるから、絵本本文１４のマーク１６とメンブレンスイッチフィルム９の接点部とがずれるおそれがなくなり、不接触により起動しないといったトラブルを解消することができる。また、絵本本文１４の左右両面をメンブレンスイッチフィルム９がカバーし得るので、幅広い領域において多種多様の音声を出力させることができる。
【符号の説明】
【００２８】
１：絵本本体
２：表紙
３：背表紙
４：裏表紙
５：化粧紙
６：被覆紙
７：樋状空間部
８：スペーサ
９：メンブレンスイッチフィルム
１０：下部接点シート
１１：上部接点シート
１２：絶縁シート
１３：通孔
１４：絵本本文
１５：中央折り曲げ部（綴じ代）
１６：マーク
１７：音声発生装置
【図１】
0003169974.tif 000003
【図２】
0003169974.tif 000004
【図３】
0003169974.tif 000005
【図４】
0003169974.tif 000006
【図５】
0003169974.tif 000007
【図６】
0003169974.tif 000008
【図７】
0003169974.tif 000009